(57)【要約】【課題】緻密な構造を有する三次元モデルを立体造形する場合であっても良好に造形することができる立体物造形装置を提供する。【解決手段】本発明の一形態に係る立体物自動造形販売機１には、立体造形部１２が具備されており、立体造形部１２は、インクジェット法を用いて層５０ａを積層する処理を繰り返すことによって、透明材料から形成される透明体の内部に、カラー加飾された三次元モデルを有した立体物５０を造形する。【選択図】図２
2015205461.tif 000002
【特許請求の範囲】
【請求項１】
被写体を三次元でカラー撮影可能な撮像部と、
上記撮像部から得られる三次元カラー画像データに基づいて上記被写体を模ったカラー加飾された三次元モデルを造形する造形部とを備え、
上記造形部は、透明材料から形成される透明体の内部に上記三次元モデルを有した立体物を、立体造形することを特徴とする立体物造形装置。
【請求項２】
上記造形部は、上記三次元モデルの造形材料、上記カラー加飾のためのカラー加飾材料および上記透明材料のうちの少なくとも１つをインクジェット方式を用いて吐出して造形することを特徴とする請求項１に記載の立体物造形装置。
【請求項３】
上記三次元モデルの造形材料、上記カラー加飾のためのカラー加飾材料または上記透明材料は、少なくとも一部が紫外線硬化樹脂であることを特徴とする請求項１または２に記載の立体物造形装置。
【請求項４】
上記三次元モデルは、造形部分の少なくとも表面が白色層で覆われ、該白色層の外部が透明層で覆われ、更に該透明層の外部が上記カラー加飾されていることを特徴とする請求項１から３までの何れか１項に記載の立体物造形装置。
【請求項５】
上記透明体の表面または内部には、上記三次元モデルとは異なる付加情報を示す構造物が造形されていることを特徴とする請求項１から４までの何れか１項に記載の立体物造形装置。
【請求項６】
上記撮像部から得られる上記三次元カラー画像データを表示する表示部を更に備えていることを特徴とする請求項１から５までの何れか１項に記載の立体物造形装置。
【請求項７】
上記立体物の販売対価を課金する課金処理部を更に備えていることを特徴とする請求項１から６までの何れか１項に記載の立体物造形装置。
【発明の詳細な説明】
【技術分野】
【０００１】
本発明は立体物造形装置に関し、より詳細には、被写体を撮影して得られる三次元カラー画像データに基づいて、該被写体の三次元モデルを含む立体物を造形する立体物造形装置に関する。
【背景技術】
【０００２】
人物や胸像などの被写体を撮影して得られる三次元カラー画像データに基づいて、該被写体の三次元モデルを立体造形して、該三次元モデルの表面を着色するシステムが知られている（特許文献１および２）。
【先行技術文献】
【特許文献】
【０００３】
【特許文献１】特開２００１−１６６８１０号公報（２００１年６月２２日公開）
【特許文献２】特開２００１−２１９６９５号公報（２００１年８月１４日公開）
【発明の概要】
【発明が解決しようとする課題】
【０００４】
しかしながら、上述の従来技術を用いて立体造形した三次元モデルは、構造的（形状的）に弱い部分が壊れ易く、緻密な構造を実現し難いという問題がある。例えば人物の三次元モデルを立体造形した場合に、指や首などの比較的細長い部分であったり、耳、リボンまたは衣服の裾などの厚さが比較的薄い部分が壊れ易いという問題がある。またオーバーハング部の造形を可能にする為に造形部分の外側にサポート材（支持材）の形成が必要であり、造形後にサポート材を除去する作業と、除去したサポート材の廃棄処理が必要という問題もある。
【０００５】
そこで、本発明は、上記課題に鑑みてなされたものであり、緻密な構造を有する三次元モデルを立体造形する場合であっても良好に造形することができる立体物造形装置を提供することを目的とする。
【課題を解決するための手段】
【０００６】
上記の課題を解決するために、本発明に係る立体物造形装置は、被写体を三次元でカラー撮影可能な撮像部と、上記撮像部から得られる三次元カラー画像データに基づいて上記被写体を模ったカラー加飾された三次元モデルを造形する造形部とを備え、上記造形部は、透明材料から形成される透明体の内部に上記三次元モデルを有した立体物を、立体造形することを特徴としている。
【０００７】
上記の構成によれば、造形部で造形される立体物は、透明体の内部に三次元モデルが配置した構造であるため、三次元モデルのみでは構造的に弱い部分があってもその周囲に透明体が存在しているため、該部分が補強され、三次元モデルが壊れることを防ぐことができる。そのため、緻密な三次元モデルであっても、緻密に、且つ、信頼性高く造形する立体物造形装置を実現することができる。
【０００８】
また、三次元モデルが透明体の内部に配置された立体物を造形しているため、立体物表面が擦れても、三次元モデル表面が透明体によって保護されているので、三次元モデル表面のカラー加飾の加飾部分の色が失われない。さらに、汚れや傷については表面を研磨や溶解することで再生が可能である。
【０００９】
また、三次元モデルが透明体の内部に配置された立体物を造形しているため、紫外線や湿気が透明体にブロックされて、三次元モデルに直接達しない。これにより、三次元モデル表面のカラー加飾の加飾部分が退色し難い。
【００１０】
上記の構成によれば、上記三次元モデルの周囲を覆うように透明体を立体造形するため、一般的な三次元プリンターで用いられるサポート材（支持材）が不要となる。そのため、サポート材を除去する工程を省略することができ、立体造形して直ぐに立体物が完成する。したがって、立体物を所望する者に直ぐに提供することができる。また、サポート材の廃棄物がないため、環境に優しい。
【００１１】
本発明に係る立体物造形装置の一形態は、上記の構成に加えて、上記造形部は、上記三次元モデルの造形材料、上記カラー加飾のためのカラー加飾材料および上記透明材料のうちの少なくとも１つをインクジェット方式を用いて吐出して造形する。
【００１２】
上記の構成によれば、インクジェット方式を用いて造形されることによって、迅速且つ微細な立体物の造形に寄与することができる。
【００１３】
本発明に係る立体物造形装置の一形態は、上記の構成に加えて、上記三次元モデルの造形材料、上記カラー加飾のためのカラー加飾材料または上記透明材料は、少なくとも一部が紫外線硬化樹脂である。
【００１４】
本発明に係る立体物造形装置の一形態は、上記の構成に加えて、上記三次元モデルは、造形部分の少なくとも表面が白色層で覆われ、該白色層の外部が透明層で覆われ、更に該透明層の外部が上記カラー加飾されている。
【００１５】
上記の構成によれば、上記三次元モデルは、造形部分の少なくとも表面が白色層で覆われ、該白色層とカラー加飾の層との間に透明層が形成されている。そのため、光反射性を有する白色層を形成するインクと、カラー加飾の層を形成するインクとが混じり合うことはない。例えばカラー加飾の層が着色剤を含むインクから形成されている場合、白色層を形成する白色インクと混じり合うと、カラー加飾の層のインクの色が失われて所望する色調を実現することができない。しかしながら、上記の構成によれば、仮にカラー加飾の層を形成するインクが、透明層を構成する透明インクと混じり合ったとしても、カラー加飾層のインクの色は失われないので、立体造形される立体物が呈する加飾に影響は与えない。したがって、所望の加飾を実現した立体物が立体造形される。
【００１６】
本発明に係る立体物造形装置の一形態は、上記の構成に加えて、上記透明体の表面または内部には、上記三次元モデルとは異なる付加情報を示す構造物が造形されている。
【００１７】
上記の構成によれば、透明体の内部に三次元モデル以外の付加情報を入れることができるため、エンターテインメント性がある。
【００１８】
本発明に係る立体物造形装置の一形態は、上記の構成に加えて、上記撮像部から得られる上記三次元カラー画像データを表示する表示部を更に備えている。
【００１９】
上記の構成によれば、表示部を備えていることにより、どのような上記立体物が立体造形されるのかを該立体物を所望する者が事前に確認することができる。
【００２０】
本発明に係る立体物造形装置の一形態は、上記の構成に加えて、上記立体物の販売対価を徴収する徴収部を更に備えている。
【００２１】
上記の構成によれば、徴収部を備えていることにより、立体物の販売対価を徴収することができる。
【発明の効果】
【００２２】
本発明によれば、緻密な構造を有する三次元モデルを立体造形する場合であっても信頼性良く造形することができる立体物造形装置を提供することができる。
【図面の簡単な説明】
【００２３】
【図１】本発明に係る立体物造形装置の一実施形態である立体造形自動販売機によって製造販売される立体物の外観図である。
【図２】本発明に係る立体物造形装置の一実施形態である立体造形自動販売機の構成を示す図である。
【図３】図２に示す立体造形自動販売機の上面図である。
【図４】図２に示す立体造形自動販売機の詳細な構成を示す図である。
【図５】図２に示す立体造形自動販売機に具備された制御部の制御フローを示すフロー図である。
【図６】（ａ）は、図２に示す立体造形自動販売機において立体造形される立体物の造形途中の様子を示した図であり、（ｂ）は、造形途中の立体物の断面図であり、（ｃ）は、造形途中の立体物の断面図であって（ｂ）に示す断面図とは異なる位置の断面図である。
【図７】図２に示す立体造形自動販売機において立体造形される立体物の斜視図であるが、説明の便宜上、三次元モデルを簡略化した簡略型三次元モデルを含む立体物の斜視図である。
【図８】図７に示す切断線Ａ−Ａ´の断面図である。
【図９】図２の立体造形自動販売機の立体造形部に具備されるインクジェットヘッド装置のノズル孔側の模式図である。
【図１０】図７に示す立体物の製造過程を示す図である。
【図１１】図２の立体造形自動販売機の立体造形部に具備されるインクジェットヘッド装置のノズル孔側の別例を示した模式図である。
【図１２】図２の立体造形自動販売機の立体造形部に具備されるインクジェットヘッド装置のノズル孔側の別例を示した模式図である。
【図１３】図２の立体造形自動販売機の立体造形部に具備されるインクジェットヘッド装置のノズル孔側の別例を示した模式図である。
【図１４】図２の立体造形自動販売機の立体造形部に具備されるインクジェットヘッド装置のノズル孔側の別例を示した模式図である。
【発明を実施するための形態】
【００２４】
以下、本発明に係る立体物造形装置について、その一実施形態である立体物自動造形販売機を例示して説明する。先ずは本実施形態の立体物自動造形販売機によって立体造形される立体物について説明し、続いて、本実施形態の立体物自動造形販売機の構成および動作について説明する。
【００２５】
（１）立体物自動造形販売機が提供（販売）する立体物
本実施形態における立体物自動造形販売機は、その内部で立体造形した立体物を、該立体物を所望する者（主には、該立体物に含まれる三次元モデルの被写体となった人物）から該立体物の販売対価を徴収することとを引き換えに提供（販売）する装置である。
【００２６】
本実施形態における立体物自動造形販売機が提供する立体物は、立体物自動造形販売機が具備するカメラ（撮像部）によって撮影された被写体（人物）の全体あるいは一部を模った三次元モデル（人形）を、透明材料によって形成された透明体の内部に有した構造である。
【００２７】
図１に、本実施形態における立体物自動造形販売機が提供する立体物の外観を幾つか例示する。
【００２８】
図１の（ａ）に示す立体物５０は、被写体（人物）の全体を模ったカラー加飾された三次元モデル３０を、透明インクから形成された透明体４０の内部に有している。
【００２９】
被写体（人物）全体を模ったカラー加飾された三次元モデル３０は、後述するように、造形部分の少なくとも表面が白色層で覆われ、該白色層の外部が透明層で覆われ、更に該透明層の外部にカラー加飾された着色層が形成されてなる。
【００３０】
そして、透明体４０は、この三次元モデル３０の上記着色層が露出しないように三次元モデル３０全体を覆い、立体物５０の最外層を形成している。換言すれば、透明体は、立体物５０の外形を形作っているといえる。例えば図１の（ａ）に示す立体物５０は、透明体４０によって、自立できる据え置き型を有している。
【００３１】
図１の（ｂ）に示す別の立体物５０は、例えば携帯電話に取り付けるストラップやキーホルダーとして実現されるために、三次元モデル３０の周囲を覆う透明体４０の一部分にストラップやキーホルダーを通すための穴７０が設けられている。このように、透明体４０に穴７０を設ければ、三次元モデル３０自体に穴をあけずに済む利点がある。穴７０は、後述する方法によって透明体４０を形成する際に設けることができる。
【００３２】
図１の（ｃ）に示す更に別の立体物５０は、被写体（人物）の一部分である上半身部分を模ったカラー加飾された三次元モデル３０を、透明体４０が覆ってなる。また、透明体４０の表面または内部には、三次元モデル３０とは別に、付加情報を示す構造物が設けられている。付加情報を示す構造物とは、例えば、マーク、フレーム、または淡色等によって構成された装飾三次元画像７１、および、日付、人名、または場所名などの文字を記す文字構造７２である。装飾三次元画像７１および文字構造７２も、透明体４０を形成すると同時に形成することができる。
【００３３】
以上のような立体物５０を立体造形することができる本実施形態における立体物自動造形販売機の特徴の一つは、インクジェット法を用いて、カメラ（撮像部）によって撮影された被写体（人物）の全体あるいは一部を模った三次元モデル３０と、それを覆って立体物の外形を形作る透明体４０とを同時に積層方式で立体造形する点にある。すなわち、後述する図６の（ａ）のように、立体物５０を積層方式で立体造形する点にある。
【００３４】
以下、これを実現するための本実施形態の立体物自動造形販売機について説明する。
【００３５】
（２）立体物自動造形販売機の構成
図２および図３は、本実施形態における立体物自動造形販売機１の構成を示す図であり、図２は、立体物自動造形販売機１の内部を側方から見たときの図であり、図３は、立体物自動造形販売機１の内部を上方から見たときの図である。
【００３６】
本実施形態の立体物自動造形販売機１は、図２および図３の紙面左側に、人物を撮影する空間である撮影室２が在り、図２および図３の紙面右側に、撮影室２において撮影された人物の画像データに基づいて立体物を造形する空間である立体造形室３が在る。以下、各室の構成を説明する。
【００３７】
（２−１）撮影室２
上記撮影室２は、一または複数の人物が入室可能な広さを有しており、ステージ４と、カメラ５（撮像部）と、照明部６と、ミラー部７と、表示部８と、操作部９と、料金徴収部１０（図１）とが配設されている。
【００３８】
なお、撮影室２には、人物Ｐが入退出するためのドア２ａが設けられており、人物Ｐは立体物自動造形販売機１（撮影室２）外部からドア２ａを通って撮影室２内に入室することができる。なお、ドアの代わりに、カーテンなどであってもよい。撮影室２の外部から撮影室２内に不都合な光が入射すると、立体物の造形に悪影響を与えるおそれがあるので、ドアであってもカーテンであっても遮光性を有するものであることが好ましい。
【００３９】
●ステージ４
ステージ４は、撮影室２の室内の床面に設けられており、被写体である人物Ｐを上に載せることができる。ステージ４は、ステージ４の上に乗った人物Ｐと、カメラ５との間が適切な距離になるような位置に配設されている。また、ステージ４は高さを調整することも可能である。本実施形態の立体物自動造形販売機１では、ステージ４の上に起立した状態の人物Ｐの全身の三次元モデルを造形することができる構成となっている。そのため、ステージ４は、人物Ｐの足元がカメラ５の撮影可能範囲に含まれるよう、高さを上下させることができる。
【００４０】
●カメラ５
カメラ５は、ステージ４の上に乗った人物Ｐを撮影するための撮影装置である。本実施形態の立体物自動造形販売機１では、ステージ４の上に起立した状態の人物Ｐの全身の三次元モデルを造形することから、カメラ５は、人物Ｐの全身を三次元でカラー撮影可能なように、撮影室２の室内に、複数個設置されている。
【００４１】
具体的には、本実施形態の立体物自動造形販売機１では、人物Ｐを、ステージ４からの高さが同じ位置で三方向から、且つ、ステージ４からの高さ方向に関して二段階から、合計で六つのカメラ５を人物Ｐに向けて配設している。本実施形態の立体物自動造形販売機１では、三方向とは、人物Ｐの正面の前方の左寄りからと、前方の右寄りからと、人物Ｐの背面の中央からの計三方向である。また、高さ二段階とは、起立した人物Ｐの下半身全体を網羅することができる比較的低位置と、該人物Ｐの上半身全体を網羅することができる比較的高位置の計二段である。
【００４２】
なお、人物Ｐの全身を三次元でカラー撮影可能であれば、カメラ５の設置数、設置位置は特に制限はない。例えば、同じ高さで三方向よりも多方向から撮影することも可能であるし、高さも二段階よりも多くして撮影することも可能であり、これらの態様を採用することにより、より精度の高い三次元カラー画像データを生成することができる。
【００４３】
あるいは、同じ高さで三方向の撮影ができるように三つのカメラ５を備え、これら三つのカメラ５が位置を移動することによって、高さを変えて撮影することにより、人物Ｐを三次元でカラー撮影してもよい。
【００４４】
なお、図２および図３の撮影室２と立体造形室３との間に配設されたカメラ５のように、撮影室２に設置されるのでは無く、立体造形室３に設置されて撮影室２の室内にレンズを向けてカメラ５を設けることも可能である。
【００４５】
各カメラ５によって撮影されたデータは、立体造形室３に設けられている制御部１１に送られる。制御部１１では、各データを処理して三次元カラー画像データを生成する。
【００４６】
●照明部６
照明部６は、ステージ４の上に乗った人物Ｐを照明する照明機器である。照明部６は、多方向から人物Ｐを照明できるように複数個配設されている。これにより、カメラ５によって撮影する際に、照明によって不都合な影が形成されることを回避することができる。本実施形態１では、照明部６は、各カメラ５の近傍に設けられている。
【００４７】
照明部６には光源が搭載されている。光源は、光強度が予め決まっていても良く、あるいは被写体である人物Ｐが所望する光強度に調整可能な構成であってもよい。また、照明部６は、異なる色の光を発する複数のＬＥＤが搭載されていてもよく、この場合に被写体である人物Ｐが照明色を選択する構成としてもよい。
【００４８】
●ミラー部７
ミラー部７は、撮影室２と立体造形室３とを区切る壁に形成されており、ミラー面を撮影室２に向けて配設している。ステージ４の上に乗った人物は、ミラー部７のミラー面に自身の姿を映して確認することができる。また、ミラー面に照明部６の光が反射することにより、該反射光が人物を照らして、より明るく撮影することが可能である。ミラー部７は、例えばフィルムミラーを貼り付けて構成される。
【００４９】
●表示部８
表示部８は、上述した各カメラ５の撮像データに基づいて制御部１１が生成する三次元カラー画像データを取得して、三次元カラー画像データに基づいた画像を表示する表示装置である。
【００５０】
また、表示部８には、被写体に対して提示すべき情報を提示するための手段としても用いることができる。提示すべき情報とは、メニュー表示や操作説明や選択肢などである。
【００５１】
●操作部９
操作部９は、立体物自動造形販売機１に対する被写体である人物の操作を受け付ける部分である。例えば、撮影の指示や、表示部８に表示した画像を加工する操作などを受け付ける。操作部９は操作レバーや操作ボタンなどを具備していてもよいし、タッチパネルの態様であってもよい。操作部９がタッチパネルの態様である場合には、メニュー表示や操作説明や選択肢などの被写体に対して提示すべき情報を提示するための手段として操作部９を用いることができる。
【００５２】
なお、表示部８が、三次元カラー画像データを表示する機能とともに、タッチセンサ機能も有している場合には、表示部８と操作部９とを一つの表示パネルにおいて実現することができる。
【００５３】
●料金徴収部１０
料金徴収部１０は、立体物自動造形販売機１によって立体造形される立体物の販売対価（料金）を徴収する。被写体である人物などが硬貨などを投入する。販売対価としては、例えば、立体造形のための基本料金に、必要に応じた追加料金が加算されたものである。対価は、例えば、制御部１１において算出される。料金徴収部１０に投入されるものとしては、現金、専用硬貨またはカードなど、その形式は問わない。
【００５４】
（２−２）立体造形室３
上記立体造形室３は、メンテナンス等の作業者が入室し作業することができる広さを有しており、制御部１１と、立体造形部１２（造形部）と、取り出し部１３とが配設されている。また図３に示すように、立体造形室３にも、撮影室２と同様にドア３ａが設けられており、作業者はドア３ａを通って立体造形室３に入退出する。
【００５５】
●制御部１１
制御部１１は、立体物自動造形販売機１の電源および各構成部材を制御する機能を有する。図４は、制御部１１の詳細として、他の構成部材を制御する制御系について模式的に示した図である。また、図５は、制御部１１による制御フローを示したフロー図である。以下に、立体物自動造形販売機１の電源がオンとなっていることを前提として、制御部１１の制御機構について説明する。
【００５６】
図４に示すように、制御部１１は、操作部９が人物による操作を受け付けたことを示す情報を操作部９から取得することができる操作制御部１１ａを有している。また、制御部１１は、料金徴収部１０が料金を徴収したことを示す情報を料金徴収部１０から受け取ることができる課金制御部１１ｂ（課金処理部）を有している。更に、制御部１１は、照明部６を制御する照明制御部１１ｃと、カメラ５を制御する撮影制御部１１ｄと、表示部８を制御する表示制御部１１ｅと、立体造形部１２を制御する立体造形制御部１１ｆとを有している。
【００５７】
図５に示す本実施形態の制御フローでは、料金を徴収したことを示す情報が料金徴収部１０から制御部１１の課金制御部１１ｂに出力されて、これを制御部１１（課金制御部１１ｂ）が取得することによって、撮影から立体造形までの制御部１１による全体的な制御が開始する（ステップＳ１）。なお、この態様に限らず、操作部９が操作されたことを示す情報を操作部９から制御部１１の操作制御部１１ａが取得することによって制御部１１による全体的な制御が開始されてもよい。
【００５８】
課金制御部１１ｂが、料金を徴収したことを示す情報を受け取って制御を開始した後、操作制御部１１ａが操作部９から情報を受け取る（ステップＳ２）と、操作部９から受け取った情報を元に、照明制御部１１ｃが照明部６を制御し、撮影制御部１１ｄが各カメラ５を制御する。具体的には、照明制御部１１ｃは、照明部６の光源を点灯させ（ステップＳ３）、撮影制御部１１ｄは、各カメラ５は被写体である人物を撮影する（ステップＳ４）。カメラ５は撮像データを生成すると、撮影制御部１１ｄに出力する。
【００５９】
撮影制御部１１ｄは、各カメラ５から取得した撮像データから、三次元カラー画像データを生成する。なお、この三次元カラー画像データは、被写体である人物が三次元でカラー撮像されたデータである。三次元カラー画像データの生成は、立体物自動造形販売機１に設けられた制御部１１とは異なる装置によっておこなわれてもよい。
【００６０】
表示制御部１１ｅは、撮影制御部１１ｄから三次元カラー画像データを取得し、表示部８を制御して表示部８に三次元カラー画像データを表示させる。
【００６１】
表示部８に三次元カラー画像データが表示されている間に、人物Ｐによって操作部９が操作されて立体造形の開始を指示する操作が操作部９に受け付けられると、その情報が操作部９から出力される。操作部９から出力された情報は、操作制御部１１ａが取得する。
【００６２】
操作制御部１１ａは、操作部９から立体造形の開始を指示する情報を取得すると、被写体である人物Ｐを模った三次元モデルを立体造形するための上記三次元カラー画像データを立体造形制御部１１ｆに出力する（ステップＳ５）。
【００６３】
立体造形制御部１１ｆは、取得した三次元カラー画像データと、該三次元モデルを覆う透明体を立体造形するための透明体造形データとを合成して、合成データを生成する（ステップＳ６）。合成データは、図１の（ａ）に示した立体物５０を立体造形することができるデータである。立体造形制御部１１ｆは、生成した合成データを立体造形部１２に出力し、立体造形をおこなうように立体造形部１２を制御する。ここで、上記透明体造形データは、立体造形制御部１１ｆに予め記憶されているか、あるいは立体物自動造形販売機１に別途設けられた記憶部に予め記憶されているデータであってもよいし、被写体である人物Ｐが操作部９を操作して指定した形状の透明体を立体造形するために制御部１１において生成されたデータであってもよい。
【００６４】
なお、制御部１１は、表示部８を制御して画像を表示する際に、先述のように三次元カラー画像データに基づいた画像を表示してもよいが、これに替えて、該合成データに基づいた（完成形の）立体物５０を示す画像を表示するように制御してもよい。
【００６５】
なお、制御部１１は、最初にカメラ５を制御して三次元カラー画像データが生成されてから、立体造形部１２を制御して立体造形が開始されるまでの間に、人物Ｐによる操作部９の他の操作を受け付けてカメラ５で再度人物Ｐを撮影するようにカメラ５を制御したり、人物Ｐによる操作部９の他の操作を受け付けて三次元カラー画像データを加工したりすることも可能である。
【００６６】
●立体造形部１２
立体造形部１２は、制御部１１の立体造形制御部１１ｆから取得した合成データに基づいて、インクジェット法を用いた積層方式によって立体物５０を立体造形する。立体造形部１２は、いわゆるインクジェット３Ｄプリンターである。なお、三次元カラー画像データと、透明体造形データとは、先述のように立体造形制御部１１ｆにおいて合成されてもよいが、これに替えて、立体造形部１２が三次元カラー画像データと透明体造形データとを取得して、立体造形部１２によって合成データが生成されてもよい。
【００６７】
以下、立体造形部１２の構成と、立体造形部１２においておこなわれる立体造形方法について説明する。
【００６８】
（３）立体造形部による立体物の立体造形
（３−１）立体造形の概要
立体造形部１２は、取得した合成データに基づいて、積層方式で立体物５０を造形する。立体物５０の造形は、立体造形部１２に搭載されているインクジェットヘッド装置を用いておこなう。
【００６９】
詳細を説明する前に、立体造形部１２（インクジェットヘッド装置）による立体造形の概要を、先述の図１の（ａ）に示す立体物５０を例に挙げて、図６を用いて説明する。
【００７０】
図６の（ａ）は、立体造形部１２（インクジェットヘッド装置）による立体造形の概要を説明するための図であり、インクジェット法を用いて層５０ａを積層する処理を繰り返すことによって、先述の図１の（ａ）に示す立体物５０を造形する過程を示している。なお、図６の（ａ）では、積層過程の途中の段階を幾つか挙げて示しており、図６の（ａ）中の（ｉ）、（ｉｉ）、（ｉｉｉ）および（ｉｖ）の順番で積層が進んでいる様子を示している。
【００７１】
また、図６の（ｂ）には、図６の（ａ）中の（ｉｉｉ）に示す積層構造をを形成する複数の層５０ａのうちの一層である層５０ａ´のＸＹ平面図を示している。図６の（ｂ）に示す層５０ａ´は、人物Ｐを模った三次元モデル３０に構成される脚部の位置に相当する層である。図６の（ｂ）に示す層５０ａ´は、三次元モデル３０の二本の脚が断面となって表れており、その各々の脚は、造形部分である白色層３１と、白色層３１の外側に形成された透明層３２と、透明層３２の外側に形成された着色層３３とが形成されてなる。この着色層３３が、各脚をカラー加飾していると換言することができる。そして、図６の（ｂ）に示す層５０ａ´の最外層には、三次元モデル３０を覆う透明体４０が形成されている。透明体４０は、三次元モデル３０に構成される脚部のように三次元構造的に細長く、それ自身のみでは構造的に脆い部分であっても、その周囲に形成されている透明体４０によって、構造的な強度が補強されている。
【００７２】
また、図６の（ｃ）には、図６の（ａ）中の（ｉｖ）に示す積層構造を形成する複数の層５０のうちの一層である層５０ａ´´のＸＹ平面図を示している。図６の（ｃ）に示す層５０ａ´´は、人物Ｐを模った三次元モデル３０に構成される胴部の位置に相当する層である。胴部は、造形部分である白色層３１と、白色層３１の外側に形成された透明層３２と、透明層３２の外側に形成された着色層３３とが形成されてなる。この着色層３３が、胴部をカラー加飾していると換言することができる。そして、図６の（ｃ）に示す層５０ａ´´の最外層にも、三次元モデル３０を覆う透明体４０が形成されている。
【００７３】
このように、図６の（ａ）に示す何れの層５０ａであっても三次元モデル３０として構成される部分の周囲に透明体４０を形成することによって、三次元モデル３０の着色層３３が露出することを防ぎ、三次元モデル３０のみでは構造的に脆弱であっても強度を補うことができる。
【００７４】
なお、透明体４０は、三次元モデル３０の側方だけでなく、図１の（ａ）に示す立体物５０に示すように三次元モデル３０の上方および下方にも形成されている。
【００７５】
（３−２）立体造形の詳細
続いて、立体造形部１２（インクジェットヘッド装置）による立体造形方法を具体的に説明する。
【００７６】
なお、以下の説明では、説明の便宜上、人物Ｐを模った三次元モデル３０に替えて、図７に示すように、側面が湾曲して膨らんだ略円筒の形状の三次元モデル（以下、「簡略型三次元モデル３００」と記載する）を用いて、この簡略型三次元モデル３００を透明体４０が覆った、六面体を外形とする立体物５０を例に挙げて説明する。また、説明の便宜上、先述した三次元モデル３０（以下で説明する簡略型三次元モデル３００）の白色層と着色層との間に在る透明層とを、透明体４０と、文言上明確に区別するために、透明体４０を第２の透明層３４と記載し、三次元モデル３０（簡略型三次元モデル３００）の白色層と着色層との間に在る透明層を第１の透明層３２と記載することとする。
【００７７】
図８は、立体物５０を図７に示す切断線Ａ−Ａ´において切断した矢視断面図である。図８に示す立体物５０の断面は、図７に示すＸＹＺ座標系に関して、立体物５０の中央位置においてＸＺ平面に沿った断面を出現させたものである。
【００７８】
図８の立体物５０も、先述した図６の（ａ）と同じく、複数の層５０ａが積層されてなる。図８に示す立体物５０は、一例として２１枚の層５０ａをＺ方向に積層することによって立体造形されているが、層数は２１に限定されるものではない。層５０ａの一層のＺ方向（図の縦方向）の厚さは主に着色層３３の減法混色による多色形成に適切な値で５μｍ〜５０μｍの範囲であり、例えば紫外線硬化型インクをインクジェット法で層形成する場合の好ましい範囲は１０μｍ〜２５μｍである。
【００７９】
図８に示す断面の略中央部に在る簡略型三次元モデル３００は、造形部分を構成する白色層３１を最も内側に構成し、その白色層３１の外側に第１の透明層３２が形成されており、更に第１の透明層３２の外側に着色層３３が形成されている。そして、この簡略型三次元モデル３００を全体的に包むように第２の透明層３４が形成されている。
【００８０】
ここで、本実施形態では、白色層３１を簡略型三次元モデル３００の造形部分、すなわち簡略型三次元モデル３００の本体部分と見なすが、白色層３１は造形部分に属するものであってもそうでなくても良い。すなわち、白色層３１とは別体の造形部分或いは空洞が造形部分の中心部に在り、その造形部分（白色層でなくても良い）から表層側（外周側）に向けて、白色層３１と、第１の透明層３２と、着色層３３とがこの順で形成されて簡略型三次元モデル３００を形成していても良い。あるいは、芯部（白色層でなくても良い）とその表面に形成された白色層３１とを造形物本体と見なしても良い。
【００８１】
ここで、略円筒の簡略型三次元モデル３００における湾曲して膨らんだ側面に形成される第１の透明層３２は、図８に示すように、各層５０ａに形成された第１の透明層の一部分５２が、層５０ａがＺ方向に積層されることにより連なることによって形成されている。同じく、略円筒の簡略型三次元モデル３００における湾曲して膨らんだ側面に形成される着色層３３も、図８に示すように、各層５０ａに形成された着色層の一部分５３が、層５０ａがＺ方向に積層されることにより連なることによって形成されている。このように簡略型三次元モデル３００の側面に形成される層（第１の透明層３２および着色層３３）は、各層５０ａの一部分が積層方向に連なることによって形成される。なお、簡略型三次元モデル３００の上面および下面についても湾曲面である場合には、側面と同様に積層によって各層の一部分同士を連ねて形成すればよい。
【００８２】
第２の透明層３４についても、層５０ａの積層方向に沿って延設される部分については、各層５０ａに形成された第２の透明層の一部分５４が、層５０ａがＺ方向に積層されることにより連なることによって形成されている。また、立体物５０の上面および下面に形成される第２の透明層３４については、図８に示すように第２の透明層３４のみから構成される層５０ａを一層あるいは二層以上積層することによって形成することが可能であるほか、立体物５０の上面または下面の表面（外面）が湾曲面である場合には、二層以上の層５０ａを積層によって外面が湾曲した第２の透明層３４を形成すればよい。
【００８３】
このように配置することにより、立体物５０の表面をＸ、Ｙ、Ｚのあらゆる方向から見ても、第２の透明層３４、着色層３３、第１の透明層３２、白色層３１の順となるので、減法混色により表現された色調を認識することができる。
【００８４】
第１の透明層の一部分５２のＸＹ平面方向の寸法は、第１の透明層の一部分５２が上下で接する着色層の一部分５３の寸法よりも若干広めに設定することで、着色層３３と白色層３１とを構成するインク同士の混じり合いの防止をより確実にすることができる。
【００８５】
また、第２の透明層の一部分５４のＸＹ平面方向の寸法は、第２の透明層の一部分５４が上下で接する着色層の一部分５３の寸法よりも若干広めに設定することで、着色層３３の保護をより確実にすることができる。
【００８６】
なお、立体物５０のＺ方向に沿った幅（以下、Ｚ方向の厚さと記載する。Ｚ方向の高さとも称することができる）は限定されるものではなく、層５０ａのＺ方向の厚さ（高さ）も積層数等により適宜設定することができる。また、後述するように、本実施形態ではインクジェット法を用いて積層するため、その積層方法において実現可能な層５０ａのＺ方向の厚さを考慮すれば良い。例えば後述する紫外線硬化型インクをインクジェット法で層形成する場合の層５０ａの厚さはインク滴の大きさに依り５μｍ〜２０μｍであるが、大型の造形物で解像度が要求されない場合は複数層を同じデータで積層してもよく、より大きなインク滴にすれば良いので、その場合、データ量の減少と造形速度の高速化が見込める。
【００８７】
以下に、白色層３１（白色層の一部分５１）と、第１の透明層３２（第１の透明層の一部分５２）と、着色層３３（着色層の一部分５３）とについて、それぞれ説明する。
【００８８】
●白色層３１（白色層の一部分５１）
白色層３１（白色層の一部分５１）は、白色インクから形成することができる。白色インクから形成された白色層３１は、白色層３１の少なくとも着色層側の表面において可視光の全領域の光を反射することができる光反射性を有している。
【００８９】
なお、このように光反射性を有していればよいため、白色層３１は、白色顔料を含むインクから形成することも可能であるし、光反射性を有するインクによって形成された光反射層であれば、白色層として採用可能である。光反射性を有するインクの一例としては、金属粉末を含んだインクが挙げられる。
【００９０】
ただし、白色層３１は、白色インクから形成することが好ましい。白色インクから形成することにより、白色層３１において造形物の表層側から入った光を良好に反射し、減法混色による着色を実現することができる。
【００９１】
なお、本実施形態では簡略型三次元モデル３００の造形部分（本体部分）が白色層３１によって構成されているが、光反射性を有していなくても良い別体の造形物本体の表面に白色層３１を形成する場合には、白色層３１の厚さ、すなわち図８に示す白色層の一部分５１の外周側から中心側方向に沿った幅（以下、白色層３１の厚さと記載する）は最小で５μｍ〜２０μｍとすることができる。なお、本発明はこの数値範囲に限定されるものではない。
【００９２】
●第１の透明層３２（第１の透明層の一部分５２）
第１の透明層３２（第１の透明層の一部分５２）は、透明インクから形成される。
【００９３】
ここで、透明インクとは、単位厚さ当たりの光透過率が５０％以上である透明層を形成することができるインクであれば良い。透明層の単位厚さ当たりの光透過率が５０％を下回ると、光の透過が不都合に阻止されて、造形物が減法混色による所望の色調を呈することができないため望ましくない。また、好ましくは、透明層の単位厚さ当たりの光透過率が８０％以上となるインクを用い、透明層の単位厚さ当たりの光透過率が９０％以上となるインクを用いることがより好ましい。
【００９４】
白色層３１（白色層の一部分５１）と、着色層３３（着色層の一部分５３）との間に第１の透明層３２（第１の透明層の一部分５２）を配設することにより、着色層３３を形成する着色インクと白色層３１を形成するインクとが混じり合うことを回避することができる。仮に、着色層を形成する着色インクが、第１の透明層を形成する透明インクと混じり合っても着色層３３の色は失われないので色調に不都合な変化を生じさせることはない。したがって、着色層３３において所望の色調（加飾）を呈した造形物を実現することができる。
【００９５】
第１透明層の一部分５２の外周側から中心側方向に沿った幅（以下、第１透明層の厚さと記載する）は、積層方向に垂直な面の加飾部分において最小で５μｍ〜２０μｍである。なお、本発明はこの数値範囲に限定されるものではない。
【００９６】
●着色層３３（着色層の一部分５３）
着色層３３（着色層の一部分５３）は、着色剤を含む着色インクによって形成される。
【００９７】
着色剤を含むインク（以下、着色インクと記載することもある）としては、イエロー（Ｙ）、マゼンタ（Ｍ）およびシアン（Ｃ）、ブラック（Ｋ）、各々の淡色のインクが含まれるが、これに限定されるものではなく、赤（Ｒ）、緑（Ｇ）、青（Ｂ）や、オレンジ（Ｏｒ）等を加えても良い。また、メタリックやパールや蛍光体色を使用することも可能である。所望の色調を表現するべく、これらの着色インクの１種類または複数種類を用いる。
【００９８】
ところで、着色層３３（着色層の一部分５３）を形成するために用いられる着色インクの量は、所望の（呈したい）色調によってばらつきがある。そのため、低濃度の明るい色調の場合は着色インクのみでは着色層３３のインク充填密度が所定のインク充填密度を満たすに至らず、Ｚ方向の高さに凹凸が形成される場合や、Ｘ、Ｙ方向に沿った途中に着色インクが無い凹みが形成される場合がある。何れの場合も、本実施形態のように積層方式によって形成される造形物には不都合な凹凸を生じることになり、好ましくない。特に、図８に示す積層構造の真ん中付近の垂直な造形面では、誤差拡散法によるインク形成で、着色層３３の一つの断面が縦横各々のインク滴二滴の計四滴の充填密度の場合で、着色インクの数は最大（最高濃度）で四滴、最小（濃度ゼロ、つまり白色）でゼロとなるので、最小の場合は四滴分の隙間の空間を形成してしまう場合があり、造形面からも色調面からも大きく品質を損なう。
【００９９】
そこで、本実施形態では、着色インクのみでは着色層３３（着色層の一部分５３）のインク充填密度が所定のインク充填密度を満たさない箇所について、補填インクによって着色層３３（着色層の一部分５３）のインク充填密度を補填することをおこなう。すなわち、着色層３３（着色層の一部分５３）を、着色インクと補填インクの合算の密度（インク滴の数）を一定となるように形成する。これにより、上述した凹みの発生を回避して、立体物５０の形状をち密に造形することができる。
【０１００】
着色インクの吐出量、着色インクに構成される各色インクの着弾位置は予めわかっているため、これらを考慮すれば補填インクの補填量と補填位置（着弾位置）を判断することができる。該判断は、インクジェットヘッド装置または制御部１１（図２から図４）、あるいは他の制御装置においておこなうことができる。
【０１０１】
また、補填インクによりインク充填密度を補填することにより、着色層３３で形成される面が平坦になるために光沢感を持たせることができる。
【０１０２】
補填インクは、着色層３３（着色層の一部分５３）に呈されるべき色調に悪影響を与えないインクであればよく、一例としては、第１の透明層３２（第１の透明層の一部分５２）および第２の透明層３４（第１の透明層の一部分５４）において用いる透明インクを採用することができる。
【０１０３】
着色層３３の厚さ、すなわち、図８に示す着色層の一部分５３の外周側から中心側方向に沿った幅（以下、着色層３３の厚さと記載する）は、例えば５μｍ〜２０μｍとすることができる。
【０１０４】
なお、本実施形態では着色層３３に基づいて説明しているが、本発明は着色層に限定されるものではなく、加飾層であれば特に制限はない。
【０１０５】
●第２の透明層３４（第２の透明層の一部分５４）の構成
第２の透明層３４（第２の透明層の一部分５４）は、第１の透明層３２（第１の透明層の一部分５２）において説明した透明インクを用いて形成される。なお、第２の透明層３４と第１の透明層３２とは同一種の透明インクを用いても形成されても良く、異種の透明インクを用いても形成されても良い。
【０１０６】
第２の透明層３４の厚さ、すなわち、図８に示す第２の透明層の一部分５４の外周側から中心側方向に沿った幅（以下、第２の透明層３４の厚さと記載する）は、例えば１０μｍ以上とすればよく、上限値については、立体物５０の外形の大きさに応じて適宜変更することができる。また、第２の透明層３４の外形面、すなわち最終造形物の外形面は積層する方向であるＺ方向に対してオーバーハングにならない方向に延在させることで滑らかな面が得られる。好ましくは、積層の上方が造形物の内側に倒れる方向の外形面とするのが良い。
【０１０７】
第２の透明層３４は、着色層３３の保護層としての機能、および簡略型三次元モデル３００の構造強度の補強機能を有するだけでなく、積層方式を採用している本発明（本実施形態）において、造形物をち密に製造することを可能にするという優位な効果を奏する。すなわち、仮に着色層３３が立体物５０の最表層を構成している場合、つまり図８に示す各層５０ａにおいて仮に着色層の一部分５３が最も端部に位置している場合には、着色層３３（着色層の一部分５３）が精度よく形成できない虞がある。しかしながら、本実施形態のように立体物５０の最表層に第２の透明層３４（第２の透明層の一部分５４）が形成されていることにより、着色層３３（着色層の一部分５３）が精度よく形成されることから、第２の透明層３４（第２の透明層の一部分５４）によって、所望の色調を呈することに寄与できる。
【０１０８】
また、仮に着色層３３が立体物５０の最表層を構成している場合は、着色層３３がむき出しになるので、擦れによる脱色や、紫外線による退色が起き易くなる。しかしながら、本実施形態のように立体物５０の最表層に第２の透明層３４（第２の透明層の一部分５４）が形成されていることにより、脱色や退色を防止することができる。
【０１０９】
図９は、立体造形部１２に搭載されているインクジェットヘッド装置１００の下面を示した図である。
【０１１０】
インクジェットヘッド装置１００の下面には、大きく分けて３つのインクジェットヘッド１１１Ｈ、１１２Ｈ、１１３Ｈが搭載されている。図９に示すように、第１インクジェットヘッド１１１Ｈと、第２インクジェットヘッド１１２Ｈおよび第３インクジェットヘッド１１３Ｈとは、Ｘ方向に沿って配設位置がずれている。また、図９に示すように、第１インクジェットヘッド１１１Ｈと、第２インクジェットヘッド１１２Ｈと、第３インクジェットヘッド１１３Ｈとは、Ｙ方向に沿って配設位置がずれている。つまりインクジェットヘッド１１１Ｈ〜１１３Ｈは、いわゆるスタガ配列で並んでいる。
【０１１１】
第１インクジェットヘッド１１１Ｈには、シアンインクを吐出するシアンインク用ノズル１１０（Ｃ）と、マゼンタインクを吐出するマゼンタインク用ノズル１１０（Ｍ）と、イエローインクを吐出するイエローインク用ノズル１１０（Ｙ）と、ブラックインクを吐出するブラックインク用ノズル１１０（Ｋ）とが設けられている。なお、各ノズル１１０（Ｃ）、１１０（Ｍ）、１１０（Ｙ）および１１０（Ｋ）の配列順や数は図９に示すものに限定されない。これらノズルから吐出されるインクは何れも立体物５０の三次元モデル３０の着色層３３（後述する着色層の一部分５３）を形成するために用いる着色インクである。
【０１１２】
第２インクジェットヘッド１１２Ｈには、白色インク（Ｗ）を吐出する白色インク用ノズル１１０（Ｗ）が設けられている。この白色インク（Ｗ）は、立体物５０の三次元モデル３０の白色層３１（後述する白色層の一部分５１）を形成するために用いるインクである。
【０１１３】
第３インクジェットヘッド１１３Ｈには、透明インク（ＣＬ）を吐出する透明インク用ノズル１１０（ＣＬ）が設けられている。この透明インク（ＣＬ）は、第１の透明層３２（後述する第１の透明層の一部分５２）、および第２の透明層３４（後述する第２の透明層の一部分５４）を形成するために用いるインクである。
【０１１４】
立体造形部１２では、図９に示したインクジェットヘッド装置１００の下面を、造形用ステージ（あるいは造形用ステージ上の造形途中の構造物）に対向させて配設させた状態で、Ｘ方向に往復移動させ、その移動中に先述の各ノズルから適当なタイミングでインクを吐出させる。なお、インクジェットヘッド装置１００をＸＹＺ座標系において所定の方向に移動させる態様に限らず、造形用ステージのほうをＸＹＺ座標系において所定の方向に移動させてもよく、インクジェットヘッド装置１００と造形用ステージとの相対位置が変化すれば移動はどちらがおこなっても良い。
【０１１５】
ここで、各インクは、紫外線硬化性を有するインクである。したがって、吐出後のインクに対して紫外線を照射する必要がある。紫外線照射器は、インクジェットヘッド装置１００に搭載されていても良いし、別体で構成されていても良い。紫外線が照射されることによってインクが硬化して、層５０ａが形成される。
【０１１６】
図１０は、本実施形態の立体物５０を立体造形部１２において造形（製造）する過程を模式的に示した断面図であり、図８に示した断面図の一部に相当する。
【０１１７】
まず、図１０の（ａ）に示すように、最初の層５０ａ（第１の層５０ａ（１）と記載する）を、造形用ステージである形成台の形成面Ｂに形成する。この第１の層５０ａ（１）の形成（製造）工程では、インクジェット法を用いてインクジェットヘッド装置１００から透明インクを所定のタイミングで吐出して、インクに紫外線を照射して硬化させることによって、第２の透明層の一部分５４のみからなる第１の層５０ａ（１）を形成する。
【０１１８】
次に、図１０の（ｂ）に示すように、第１の層５０ａ（１）の上に第２の層５０ａ（２）を形成する。この第２の層５０ａ（２）の形成（製造）工程では、形成済みの第１の層５０ａ（１）の上方をインクジェットヘッド装置１００が移動し、所定のタイミングでインクを吐出して、インクを紫外線照射により硬化させることによって、第２の層５０ａ（２）の中心部分に着色層の一部分５３を含み、且つ該着色層の一部分５３の周囲を囲むように第２の透明層の一部分５４を含む第２の層５０ａ（２）を形成する。
【０１１９】
なお、着色層の一部分５３と第２の透明層の一部分５４とを並行して形成してもよいし、着色層の一部分５３および第２の透明層の一部分５４の一方を先に形成し、その後で他方を形成してもよい。
【０１２０】
次に、図１０の（ｃ）に示すように、第２の層５０ａ（２）の上に第３の層５０ａ（３）を形成する。この第３の層５０ａ（３）の形成（製造）工程では、形成済みの第２の層５０ａ（２）の上方をインクジェットヘッド装置１００が移動し、所定のタイミングでインクを吐出して、インクを紫外線照射により硬化させることによって、第３の層５０ａ（３）の中心部分から層の端部に向かって、第１の透明層の一部分５２と、着色層の一部分５３と、第２の透明層の一部分５４とをこの順番で含むように形成する。
【０１２１】
この第３の層５０ａ（３）の形成（製造）工程においても、第１の透明層の一部分５２と、着色層の一部分５３と、第２の透明層の一部分５４とを並行して形成してもよいが、第１の透明層の一部分５２および第２の透明層の一部分５４を先に形成した後に、着色層の一部分５３を形成してもよい。
【０１２２】
次に、図１０の（ｄ）に示すように、第３の層５０ａ（３）の上に第４の層５０ａ（４）を形成する。この第４の層５０ａ（４）の形成（製造）工程では、まず、図１０の（ｄ）に示すように、形成済みの第３の層５０ａ（３）の上方をインクジェットヘッド装置１００が移動し、所定のタイミングで透明インクを吐出して、この透明インクを紫外線照射により硬化させることによって、第１の透明層の一部分５２および第２の透明層の一部分５４を形成する。そして、その後に、図１０の（ｅ）に示すように、白色層の一部分５１および着色層の一部分５３を形成する。これにより、第４の層５０ａ（４）の中心部分から層の端部に向かって、白色層の一部分５１と、第１の透明層の一部分５２と、着色層の一部分５３と、第２の透明層の一部分５４とをこの順番で含む第４の層５０ａ（４）が形成される。
【０１２３】
図１０の（ｄ）および（ｅ）に示す第４の層５０ａ（４）の形成（製造）工程のように、第１の透明層の一部分５２を形成する工程と、第２の透明層の一部分５４を形成する工程とをおこなった後に、着色インクを用いて着色層の一部分５３を形成する工程をおこなって、第１の透明層の一部分５２と第２の透明層の一部分５４との間に着色層の一部分５３を形成する。これにより、第２の透明層の一部分５４が着色層の一部分５３を形成する際に着色層を構成するインク溜まりの外堀として機能し、着色層を構成するインクが不都合に濡れ拡がる虞がなく、精度良く着色層の一部分５３を形成することができる。
【０１２４】
なお、各層において着色層の一部分５３を形成する際、着色インクおよび補填インクからなる着色層形成用インクを両者のインクの合算量が一定となるように吐出して、紫外線硬化する。
【０１２５】
このようにＺ方向に積層を繰り返すことにより、図８に示す立体物５０を製造することができる。なお、一層を形成するにあたっては、二次元の画像形成の公知のインターレイス走査をすることによってムラの少ない良好な造形や加飾が得られる。
【０１２６】
なお、図１の（ｂ）に示す立体物５０の場合は、透明体４０（図７および図８に示す第２の透明層３４）の一部に穴７０を形成したストラップタイプの立体物５０である。穴７０は、第２の透明層３４を形成する過程で、一部に第２の透明層３４を形成しないことによって設ければ良い。
【０１２７】
また、図１の（ｃ）に示す立体物５０は、透明体４０（図７および図８に示す第２の透明層３４）の表面またはその内部に、マーク、フレーム、または淡色等によって構成された装飾三次元画像７１が施されており、更に、日付、人名、または場所名などの文字を記す文字構造７２も設けられている。このような装飾三次元画像７１および文字構造７２といった付加情報は、図４に示すように制御部１１によって制御される付加情報指示部１４に基づいて、制御部１１が立体造形部１２を制御することにより実現することができる。なお、装飾三次元画像７１および文字構造７２に限らず、透明体４０（第２の透明層３４）の表面または内部に形成されるのは、他の付加情報であってもよい。なお、付加情報は、付加情報指示部１４あるいは他の記憶部に予め記憶されていて立体造形部１２において立体物が造形される度に付加されるような態様であってもよいし、あるいは被写体である人物Ｐが操作部９を操作して指定した場合のみ、制御部１１が立体造形部１２を制御して付加されるような形態であってもよい。このような付加情報は、透明体４０（第２の透明層３４）で外形を形成すると同時に形成すれば良い。
【０１２８】
立体造形部１２において造形された立体物５０は、図３に示す取り出し部１３に搬出され、人物Ｐが取り出し部１３から立体物５０を取り出して、一連の立体造形販売が終了する。
【０１２９】
〔４〕変形例
上記実施形態では図９に示すインクジェットヘッド装置１００を用いて立体物５０を製造しているが、用いるインクジェットヘッド装置はこれらに限定されるものではなく、図１１から図１４にそれぞれ示すインクジェットヘッド装置を用いることも可能である。
【０１３０】
図１１に示すインクジェットヘッド装置１００ａの下面には、大きく分けて２つのインクジェットヘッド１１１Ｈ´および１１２Ｈ´が搭載されている。図１１に示すように、第１インクジェットヘッド１１１Ｈ´と、第２インクジェットヘッド１１２Ｈ´とは、Ｘ方向に沿って配設位置がずれており、且つＹ方向に沿って配設位置がずれている。
【０１３１】
図１２は、インクジェットヘッド装置の変形例を示す図であり、図９に対応している。図１２に示すインクジェットヘッド装置１００ｂでは、シアンインク用ノズル１１０（Ｃ）と、マゼンタインク用ノズル１１０（Ｍ）と、イエローインク用ノズル１１０（Ｙ）と、ブラックインク用ノズル１１０（Ｋ）と、白色インク用ノズル１１０（Ｗ）と、透明インク用ノズル１１０（ＣＬ）とが、この順でＸ方向に配列して設けられている。
【０１３２】
図１３は、インクジェットヘッド装置の更に別の変形例を示す図であり、図９に対応している。図１３に示すインクジェットヘッド装置１００ｃでは、白色インク用ノズル１１０（Ｗ）と、透明インク用ノズル１１０（ＣＬ）と、イエローインク用ノズル１１０（Ｙ）と、マゼンタインク用ノズル１１０（Ｍ）と、シアンインク用ノズル１１０（Ｃ）と、ブラックインク用ノズル１１０（Ｋ）と、透明インク用ノズル１１０（ＣＬ）と、白色インク用ノズル１１０（Ｗ）とが、この順でＸ方向に配列して設けられている。
【０１３３】
図１４は、インクジェットヘッド装置の更に別の変形例を示す図である。図１４に示すインクジェットヘッド装置１００ｄは、Ｘ軸に沿って往復移動可能なキャリッジ２１と、キャリッジ２１に搭載された複数のノズル列と、キャリッジ２１に搭載された紫外線照射器２４ａ，２４ｂとを備える。キャリッジ２１をＹ方向に移動させて、ノズル列から紫外線硬化型インクを吐出するとともに、紫外線照射器２４ａ，２４ｂから紫外線を照射させる走査をおこなう。複数のノズル列は、図１４に示すようにＸ方向に沿って併設されており、Ｘ方向における紙面左側から紙面右側に向けて、シアンインク用ノズル列Ｃ、マゼンタインク用ノズル列Ｍ、イエローインク用ノズル列Ｙ、ブラックインク用ノズル列Ｋ、白色インク用ノズル列Ｗ、および透明インク用ノズル列ＣＬがこの順に配列されている。複数のノズル列各々は、キャリッジ２１に搭載されているため、キャリッジ２１の移動に伴うＸ方向への移動時に紫外線硬化型インクを吐出することが可能となっている。
【０１３４】
図１２、図１３および図１４では全てのノズルがＸ方向に配列して設けられているため、一回のＸ方向への移動で一層の全てのインクを吐出しての層形成も可能である。図１４では一回のＸ方向への移動でインクの吐出と同時に紫外線照射もおこなわれるため、紫外線硬化型インクの場合での一層の硬化も吐出と同じタイミングでおこなうことができる。
【０１３５】
[付記事項]
本発明の一態様に係る立体物自動造形販売機１は、被写体（人物Ｐ）を三次元でカラー撮影可能なカメラ５と、上記カメラ５から得られる三次元カラー画像データに基づいて上記被写体を模ったカラー加飾された三次元モデル３０（３００）を造形する立体造形部１２とを備え、上記立体造形部１２は、透明材料から形成される透明体４０の内部に上記三次元モデル３０（３００）を有した立体物５０を、立体造形することを特徴としている。
【０１３６】
上記の構成によれば、立体造形部１２で造形される立体物５０は、透明体４０の内部に三次元モデル３０（３００）が配置した構造であるため、三次元モデル３０（３００）のみでは構造的に弱い部分があってもその周囲に透明体４０が存在しているため、該部分が補強され、三次元モデル３０（３００）が壊れることを防ぐことができる。そのため、緻密な三次元モデル３０（３００）であっても、緻密に、且つ、信頼性高く造形する立体物造形装置を実現することができる。
【０１３７】
また、三次元モデル３０（３００）が透明体４０の内部に配置された立体物５０を造形しているため、立体物５０表面が擦れても、三次元モデル３０（３００）表面が透明体４０によって保護されているので、三次元モデル３０（３００）表面のカラー加飾の加飾部分（着色層３３）の色が失われない。
【０１３８】
また、三次元モデル３０（３００）が透明体４０の内部に配置された立体物５０を造形しているため、紫外線や湿気が透明体４０にブロックされて、三次元モデル３０（３００）に直接達しない。これにより、三次元モデル３０（３００）表面のカラー加飾の加飾部分（着色層３３）が退色し難い。
【０１３９】
上記の構成によれば、上記三次元モデル３０（３００）の周囲を覆うように透明体４０を立体造形するため、三次元プリンターで用いられるサポート材（支持材）が不要となる。そのため、サポート材を除去する工程を省略することができ、立体造形して直ぐに立体物５０が完成する。したがって、立体物５０を所望する者に直ぐに提供することができる。また、サポート材の廃棄物がないため、環境に優しい。これらの特長は、市中に設置する無人の自動販売機として好適である。
【０１４０】
また、本発明の一形態に係る立体物自動造形販売機１は、上記の構成に加えて、上記立体造形部１２は、上記三次元モデルの造形材料、上記カラー加飾のためのカラー加飾材料および上記透明材料のうちの少なくとも１つをインクジェット方式を用いて吐出して造形する。
【０１４１】
上記の構成によれば、インクジェット方式を用いて造形されることによって、迅速且つ微細な立体物の造形に寄与することができる。
【０１４２】
また、本発明の一形態に係る立体物自動造形販売機１は、上記の構成に加えて、上記三次元モデルの造形材料（少なくとも白色層を構成するインク）、上記カラー加飾のためのカラー加飾材料（着色剤を含むインク）または上記透明材料（透明インク）は、少なくとも一部が紫外線硬化樹脂である。
【０１４３】
また、本発明の一形態に係る立体物自動造形販売機１は、上記の構成に加えて、上記三次元モデルは、造形部分の少なくとも表面が白色層で覆われ、該白色層の外部が透明層で覆われ、更に該透明層の外部が上記カラー加飾されている。
【０１４４】
上記の構成によれば、上記三次元モデル３０（３００）は、造形部分の少なくとも表面が白色層３１で覆われ、該白色層３１とカラー加飾の層（着色層３３）との間に透明層３２（第１の透明層３２）が形成されている。そのため、光反射性を有する白色層３１を形成するインクと、カラー加飾の層を形成するインクとが混じり合うことはない。例えばカラー加飾の層が着色剤を含むインクから形成されている場合、白色層を形成する白色インクと混じり合うと、カラー加飾の層のインク（着色層３３を形成する着色剤を含むインク）の色が失われて所望する色調を実現することができない。しかしながら、上記の構成によれば、仮にカラー加飾の層を形成するインク（着色層３３を形成する着色剤を含むインク）が、透明層３２を構成する透明インクと混じり合ったとしても、カラー加飾層のインクの色（着色層３３の色）は失われないので、立体造形される立体物が呈する加飾に影響は与えない。したがって、所望の加飾を実現した立体物が立体造形される。
【０１４５】
また、本発明の一形態に係る立体物自動造形販売機１は、上記の構成に加えて、上記透明体の表面または内部には、上記三次元モデルとは異なる付加情報を示す構造物（装飾三次元画像７１および文字構造７２）が造形されている。
【０１４６】
上記の構成によれば、透明体の内部に三次元モデル以外の付加情報を入れることができるため、エンターテインメント性がある。
【０１４７】
また、本発明の一形態に係る立体物自動造形販売機１は、上記の構成に加えて、上記カメラ５から得られる上記三次元カラー画像データを表示する表示部８を更に備えている。
【０１４８】
上記の構成によれば、表示部８を備えていることにより、どのような上記立体物５０が立体造形されるのかを該立体物５０を所望する者（人物Ｐ）が事前に確認することができる。
【０１４９】
また、本発明の一形態に係る立体物自動造形販売機１は、上記の構成に加えて、上記立体物５０の販売対価を徴収する料金徴収部１０を更に備えている。
【０１５０】
上記の構成によれば、料金徴収部１０を備えていることにより、立体物５０の販売対価を徴収することができる。
【０１５１】
本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１５２】
本発明は、立体物を自動造形して販売する立体物自動販売機に利用することができる。
【符号の説明】
【０１５３】
１  立体物自動造形販売機（立体物造形装置）
２  撮影室
２ａ  ドア
３  立体造形室
３ａ  ドア
４  ステージ
５  カメラ（撮像部）
６  照明部
７  ミラー部
８  表示部
９  操作部
１０  料金徴収部
１１  制御部
１１ａ  操作制御部
１１ｂ  課金制御部（課金処理部）
１１ｃ  照明制御部
１１ｄ  撮影制御部
１１ｅ  表示制御部
１１ｆ  立体造形制御部
１２  立体造形部（造形部）
１４  付加情報指示部
２１  キャリッジ
２４ａ，２４ｂ  紫外線照射器
３０  三次元モデル
３１  白色層
３２  （第１の）透明層
３３  着色層
３４  第２の透明層
４０  透明体
５０  立体物
５０ａ、５０ａ´、５０ａ´´  層
５１  白色層の一部分
５２  第１の透明層の一部分
５３  着色層の一部分
５４  第２の透明層の一部分
７１  装飾三次元画像
７２  文字構造
１００、１００ａ、１００ｂ、１００ｃ、１００ｄ  インクジェットヘッド装置
３００  簡略型三次元モデル
Ｐ  人物
【図１】
2015205461.tif 000003
【図２】
2015205461.tif 000004
【図３】
2015205461.tif 000005
【図４】
2015205461.tif 000006
【図５】
2015205461.tif 000007
【図６】
2015205461.tif 000008
【図７】
2015205461.tif 000009
【図８】
2015205461.tif 000010
【図９】
2015205461.tif 000011
【図１０】
2015205461.tif 000012
【図１１】
2015205461.tif 000013
【図１２】
2015205461.tif 000014
【図１３】
2015205461.tif 000015
【図１４】
2015205461.tif 000016